(57)【特許請求の範囲】
【請求項１】
外装と、この外装内に形成され、前面開口を有する加熱室と、この加熱室の前面開口を開閉するドアと、このドアの閉成時に作動するドアスイッチと、前記ドアの下端を回動自在に支持する左・右ヒンジ部と、前記ドアに軸支された左・右ドアア−ムと、この左・右ドアア−ムの自由端側に結合され、左・右ドアア−ムを介してドアを閉成方向へ引っ張る左・右バネと、この左・右バネの引っ張り力により前記左・右ドアア−ムが接し、前記ドアの開閉時に前記左・右ドアア−ムを案内する左・右固定ロ−ラと、前記左・右ドアア−ムの、前記左・右固定ロ−ラと接する部分に形成され、ドア閉成直前時点から前記左・右固定ロ−ラと嵌合し合う左・右凹部と、前記左・右ドアア−ムのうちの前記スイッチ側でないドアア−ムのみにおいて、凹部よりバネ側に形成され、固定ロ−ラと係合する係合部とを備え、更に、前記スイッチ側のドアア−ムの凹部の深さに比べ、他方の凹部の深さを小さくしたことを特徴とする加熱調理器。
【請求項２】
請求項１に記載の加熱調理器において、前記スイッチ側のドアア−ムの凹部の深さに比べ、他方の凹部の深さを１／２以下にしたことを特徴とする加熱調理器。
【発明の詳細な説明】
【０００１】
【発明の属する技術分野】
本発明は、加熱調理器に関するものである。
【０００２】
【従来の技術】
図１〜図８にて従来例を示す。
【０００３】
図１は、加熱調理器１が外装２に覆われ、ドア３が閉じられた加熱調理器の外観図で、ドア３の横に操作部４が設けられている。また、図２はドア３を開けた加熱調理器１の外観図で、加熱室６の前面にキャビテイ前面板５が設けられている。図３はドア３が閉じられたときの、外装２の右側の内部の図である。図４は、ドア３を開けたときの、外装２の右側の内部の図である。前記ドア３はヒンジ部１７のヒンジ１７ａにドア３の内部で軸支されている。ドア３を閉めると、ドア３に設けている突起７と８が前記キャビテイ前面板５の開口（図示しない）に挿入されレバ−９を押してモニタ−スイッチ１０及びドアスイッチ１１を作動する。前記ドア３の閉成時に、前記ドア３の内部で軸支されているドアア−ム１３ｃは、ロ−ラ台１８に設けられている固定ロ−ラ１４と凹部１３ａで嵌合するとともに、引っ張りバネ１２でドア３を閉じる方向に引っ張っている。前記ドアア−ム１３ｃの凹部１３ａがあるので前記ドア３を引き込んでいる。次に、前記スイッチ側と反対側の図５及び図６について以下説明する。前記ドアア−ム１３の一端はドアア−ム軸１９によりドア３に軸支されており、前記キャビテイ前面板７の開口１５を通り、他端の自由端は前記ロ−ラ台１８に架けられている引っ張りバネ１２ａで引っ張られている。また、ヒンジ部１７のヒンジ１７ａは前記ロ−ラ台１８に固定され、前記キャビテイ前面板７の開口１６を通り、前記ドア３が軸２０で回動自在に軸支されている。
【０００４】
図７は、スイッチ側と反対側（左側）におけるドアア−ム１３付近の拡大図である。
【０００５】
図７において、前記ドアア−ム１３には凹部１３ａのみが設けられ、前記凹部１３ａは深いので前記ドア３を引き込む力が大きくなり、前記ドア３が閉められるとき大きな音が発生する要因となる。
【０００６】
図８は、スイッチ側（右側）におけるドアア−ム１３ｃ付近の拡大図である。
【０００７】
図８においても、ドアア−ム１３ｃには上記図７と同じく凹部１３ｂのみが設けられ、前記凹部１３ｂは深いので前記ドア３を引き込む力が大きくなり、前記ドア３が閉められるとき大きな音が発生する要因となっている。
【０００８】
【発明が解決しようとする課題】
本発明は、ドアを閉めるときの音を小さくする加熱調理器を提供する。
【０００９】
【課題を解決するための手段および発明の効果】
本発明に係る第１の加熱調理器は、外装と、この外装内に形成され、前面開口を有する加熱室と、この加熱室の前面開口を開閉するドアと、このドアの閉成時に作動するドアスイッチと、前記ドアの下端を回動自在に支持する左・右ヒンジ部と、前記ドアに軸支された左・右ドアア−ムと、この左・右ドアア−ムの自由端側に結合され、左・右ドアア−ムを介してドアを閉成方向へ引っ張る左・右バネと、この左・右バネの引っ張り力により前記左・右ドアア−ムが接し、前記ドアの開閉時に前記左・右ドアア−ムを案内する左・右固定ロ−ラと、前記左・右ドアア−ムの、前記左・右固定ロ−ラと接する部分に形成され、ドア閉成直前時点から前記左・右固定ロ−ラと嵌合し合う左・右凹部と、前記左・右ドアア−ムのうちの前記スイッチ側でないドアア−ムのみにおいて、凹部よりバネ側に形成され、固定ロ−ラと係合する係合部とを備え、更に、前記スイッチ側のドアア−ムの凹部の深さに比べ、他方の凹部の深さを小さくしたことを特徴とする。
【００１０】
従って、ドアが半分程度閉じたところから、一気にドアが閉じることがなくドアが閉じる直前に一旦止まり、その後ドアを閉じるのでドアを閉めるときの音を小さくできる。
【００１２】
本来は、スイッチ側のドアア−ムにも固定ロ−ラと係合する係合部を形成したほうが、一気にドアが閉じることがなく、ドアが閉じられる直前に止める為にはいい。しかし、スイッチ側と反対側（左側）だけにドアア−ムに固定ロ−ラに係合する係合部を設けても、一気にドアが閉じることがなく、ドアが閉じられる直前に止まる。ドアスイッチ側のドアア−ムは係合部がない場合は凹部を深くでき、一旦ドアが止まった後にドアを閉じたときの凹部によるドアア−ムの引き込み力を大きくでき、ドアスイッチを確実に作動できる。また、一旦ドアが閉じるのを止めた後ドアを閉めるので、ドアを閉めるときの音を小さくできる。
【００１３】
本発明に係る第２の加熱調理器は、前記スイッチ側のドアア−ムの凹部の深さに比べ、他方の凹部の深さを１／２以下にしたことを特徴とする。
従って、前記スイッチ側と反対側において、ドアが半分程度閉じたところから、一気にドアが閉じることがなくドアが閉じる直前にドアア−ムの係合部と固定ロ−ラが係合して一旦止まり、その後ドアを閉じるとき凹部の深さを小さくしているのでドアの引き込み力は小さく、ドアを閉めるときの音を小さくできる。またスイッチが確実に作動する。
【００１４】
【発明の実施の形態】
本発明の一実施形態の加熱調理器を、従来例と相違する部分についてのみ図面を参照して説明する。
【００１５】
図９は、スイッチ側と反対側（左側）を示し、ドア３が閉じられる直前に
止まっている図である。ドア３が閉じられる直前に止まるのは、凹部２１ａよりバネ１２ｃ側にてドアア−ム２１に形成されている凹部状係合部２１ｂが固定ロ−ラ１４に係合するからである。その後、前記ドア３を閉じる方向に押すと、バネ１２ｃに引っ張られ前記ドアア−ム２１に設けている凹部２１ａが前記固定ロ−ラ１４と嵌合し前記ドア３が閉じられる。第１の実施例では、スイッチ側（右側）も上記図９と全く同じである。
【００１６】
次に、第２の実施例について以下説明する。
スイッチ側と反対側（左側）は上記図９と同じであり、スイッチ側（右側）は図１０に示す。図１０は、図９の状態のときの状態を示している。左側のドアア−ム２１に設けている凹部２１ａ（図９）の深さは右側のドアア−ム１３ｃの凹部１３ｂの深さよりも小さくしている。前記ドアア−ム２１に設けている凹部２１ａの深さを小さくしている理由は、ドア３が閉じるときの音を小さくする為である。スイッチ側のドアア−ム１３ｃには固定ロ−ラ１４と嵌合する凹部１３ｂのみしか設けていない。その理由について以下説明する。本来は、スイッチ側のドアア−ムにも固定ロ−ラと係合する係合部を形成したほうが、一気にドアが閉じることがなく、ドアが閉じられる直前に止める為にはいい。しかし、スイッチ側と反対側（左側）だけにドアア−ムに固定ロ−ラに係合する係合部を設けても、一気にドアが閉じることがなく、ドアが閉じられる直前に止まる。ドアスイッチ側のドアア−ムは係合部がない場合は凹部を深くでき、一旦ドアが止まった後にドアを閉じたときの凹部によるドアア−ムの引き込み力を大きくでき、モニタ−スイッチ１１及びドアスイッチ１２を確実に作動できる。また、一旦ドアが閉じるのを止めた後ドアを閉めるので、ドアを閉めるときの音を小さくできる。
【００１７】
第３の実施例では、スイッチ側と反対側のドアア−ム２１の凹部２１ａの深さを、スイッチ側のドアア−ム１３ｃの凹部１３ｂの深さ（Ａ）の１／２以下にしているので、ドア３が閉じるときの音はよりいっそう小さくできる。
【００１８】
【発明の効果】
ドアの閉成時、一気にドアが閉じることがないので、ドアを閉めときの音を小さくできる。
【図面の簡単な説明】
【図１】従来の加熱調理器の外観斜視図である。
【図２】同加熱調理器のドアを開けた外観斜視図である。
【図３】同加熱調理器の外装取外時のドア閉状態右側面図である。
【図４】同加熱調理器の外装取外時のドア開状態右側面図である。
【図５】同加熱調理器の外装取外時のドア閉状態左側面図である。
【図６】同加熱調理器の外装取外時のドア開状態左側面図である。
【図７】同加熱調理器の左側のドアア−ム付近の拡大図である。
【図８】同加熱調理器の右側のドアア−ム付近の拡大図である。
【図９】本発明の第１実施例の左側ドアア−ム付近の拡大図である。
【図１０】本発明の第２実施例の右側ドアア−ム付近の拡大図である。
【符号の説明】
１          加熱調理器
２          外装
３          ドア
５          キャビティ前面板
６          加熱室
９          レバ−
１１        ドアスイッチ
１２        バネ
１２ｃ      バネ
１３        ドアア−ム
１３ａ      ドアア−ムの凹部
１３ｂ      ドアア−ムの凹部
１４        固定ロ−ラ
１７        ヒンジ部
１７ａ      ヒンジ
１９        ドアア−ム軸
２１        ドアア−ム
２１ａ      ドアア−ムの凹部
２１ｂ      ドアア−ムの係合部
【図１】
0003754307.tif 000002
【図２】
0003754307.tif 000003
【図３】
0003754307.tif 000004
【図４】
0003754307.tif 000005
【図５】
0003754307.tif 000006
【図６】
0003754307.tif 000007
【図７】
0003754307.tif 000008
【図８】
0003754307.tif 000009
【図９】
0003754307.tif 000010
【図１０】
0003754307.tif 000011